(57)【要約】      （修正有）【課題】サンドペーパーの番手変更をワンタッチで行えるディスクサンダーを提供する。【解決手段】ベースディスク２の数箇所にＮ（Ｓ）極のマグネット２ａを埋め込む。番手の違うサンドペーパー３ｂ〜５ｂを貼る為の各交換ディクス３〜５にはベースディスクと同位置に対極となるＳ（Ｎ）極のマグネット３ａ〜５ａを配置する。ベースディスクと交換ディスクを磁力で吸着させることでワンタッチの着脱を可能とする。【選択図】図１
0003222997.tif 000002
【実用新案登録請求の範囲】
【請求項１】
ディスクサンダー（ディスクグラインダー）本体（（１）あるいは（６）））の回転軸に取付けられたベースディスク（（２）あるいは（７））と番手の違うサンドペーパー（粗目，中目，細目・・・）が貼られた交換ディスク（（３）〜（５）あるいは（８）〜（１０））数枚（必要に応じて枚数を増やす）に対極となるマグネットを埋め込み、双方を磁力で吸着することで、ワンタッチで交換ディスクが着脱できるディスク着脱構造。
【請求項２】
前記ベースディスクの数箇所にピン（７ｂ）を、交換ディスクの当該ピンに勘合する位置にホール（（８ｂ）〜（１０ｂ））を備え、研磨作業によりディスクがずれない構造とした請求項１に記載のディスク着脱構造。
【考案の詳細な説明】
【技術分野】
【０００１】  この考案は、ディスクを用いた工具に係わり、特にディスクサンダー（ディスクグラインダー）に取付けるディスクの着脱に関するものである。
【背景技術】
【０００２】  従来のディスクサンダーは、研磨する為のサンドペーパーをディスクサンダーに取付けられたディスクにスプレー糊あるいはマジックテープにより固定されていた。
【考案の概要】
【考案が解決しようとする課題】
【０００３】  このため、番手の違う（粗目，中目，細目・・・）サンドペーパーへの交換を容易に行こなうことが出来なかった。
【課題を解決するための手段】
【０００４】  サンドペーパーをディスクサンダー本体の回転軸に取付けられたディスクに直接貼らず、当該ディスクをベースディスクとし、別途用意した交換用ディスクにサンドペーパーを貼り、ベースディスクと交換ディスクをマグネットを用いた磁力で吸着させる。
【考案の効果】
【０００５】  交換ディスクに番手の違うサンドペーパーを貼り、研磨作業の工程に従って必要な番手のディスクにワンタッチで脱着することで作業の効率化が図れる。
【図面の簡単な説明】
【０００６】
【図１】ディスクが水平面内に取付けられるディスクサンダーを例としたベースディスクと交換ディスクの構造を示す斜視図である。
【図２】ディスクが鉛直面内に取付けられるディスクサンダーを例としたベースディスクと交換ディスクの構造を示す斜視図である。
【考案を実施するための形態】
【０００７】  ベースディスクの外周部に近い同心円の十字をなす位置にマグネットＮ（Ｓ）極が表になる様に埋め込む。各交換ディスクにはベースディスクと同位置に対極となるＳ（Ｎ）極のマグネットを表になる様に埋め込む。マグネットの位置を合わせることで両ディスクは磁力で吸着される。
ディスクが鉛直面で回転する場合は、磁力で吸着される構造に加え、ベースディスクにピンを、交換ディスクにホールを加工し勘合する構造を用いることで研磨作業時によりディスクがずれない構造とすることが出来る。
【符号の説明】
【０００８】  １  水平面型ディスクサンダー（ディスクグラインダー）
２  ベースディスク  ２ａ  マグネットＮ（Ｓ）極
３  交換ディスク  ３ａ  マグネットＳ（Ｎ）極  ３ｂ  粗目サンドペーパー
４  交換ディスク  ４ａ  マグネットＳ（Ｎ）極  ４ｂ  中目サンドペーパー
５  交換ディスク  ５ａ  マグネットＳ（Ｎ）極  ５ｂ  細目サンドペーパー
６  鉛直面型ディスクサンダー（ディスクグラインダー）
７  ベースディスク  ７ａ  マグネットＮ（Ｓ）極  ７ｂ  ピン
８  交換ディスク  ８ａ  マグネットＳ（Ｎ）極  ８ｂ  ホール
８Ｃ  粗目サンドペーパー
９  交換ディスク  ９ａ  マグネットＳ（Ｎ）極  ９ｂ  ホール
９Ｃ  中目サンドペーパー
１０  交換ディスク  １０ａ  マグネットＳ（Ｎ）極  １０ｂ  ホール
１０Ｃ  細目サンドペーパー
【図１】
0003222997.tif 000003
【図２】
0003222997.tif 000004
【手続補正書】
【提出日】令和1年7月1日(2019.7.1)
【手続補正１】
【補正対象書類名】実用新案登録請求の範囲
【補正対象項目名】請求項１
【補正方法】変更
【補正の内容】
【請求項１】
ディスク型研磨機本体（（１）あるいは（６）））の回転軸に取付けられたベースディスク（（２）あるいは（７））と目の粗さの違うサンドペーパーが貼られた交換ディスク（（３）〜（５）あるいは（８）〜（１０））に対極となるマグネットを埋め込み、双方を磁力で吸着することで、ワンタッチで交換ディスクが着脱できるディスク着脱構造。
【手続補正２】
【補正対象書類名】明細書
【補正対象項目名】全文
【補正方法】変更
【補正の内容】
【考案の詳細な説明】
【技術分野】
【０００１】  この考案は、ディスクを用いた工具に係わり、特にディスク型研磨機に取付けるディスクの着脱に関するものである。
【背景技術】
【０００２】  従来のディスク型研磨機は、研磨する為のサンドペーパーをディスク型研磨機に取付けられたディスクにスプレー糊あるいはマジックテープにより固定されていた。
【考案の概要】
【考案が解決しようとする課題】
【０００３】  このため、目の粗さの違うサンドペーパーへの交換を容易に行こなうことが出来なかった。
【課題を解決するための手段】
【０００４】  サンドペーパーをディスク型研磨機本体の回転軸に取付けられたディスクに直接貼らず、当該ディスクをベースディスクとし、別途用意した交換用ディスクにサンドペーパーを貼り、ベースディスクと交換ディスクをマグネットを用いた磁力で吸着させる。
【考案の効果】
【０００５】  交換ディスクに目の粗さの違うサンドペーパーを貼り、研磨作業の工程に従って必要な番手のディスクにワンタッチで脱着することで作業の効率化が図れる。
【図面の簡単な説明】
【０００６】
【図１】ディスクが水平面内に取付けられるディスク型研磨機を例としたベースディスクと交換ディスクの構造を示す斜視図である。
【図２】ディスクが鉛直面内に取付けられるディスク型研磨機を例としたベースディスクと交換ディスクの構造を示す斜視図である。
【考案を実施するための形態】
【０００７】  ベースディスクの外周部に近い同心円の十字をなす位置にマグネットＮ（Ｓ）極が表になる様に埋め込む。各交換ディスクにはベースディスクと同位置に対極となるＳ（Ｎ）極のマグネットを表になる様に埋め込む。マグネットの位置を合わせることで両ディスクは磁力で吸着される。  ディスクが鉛直面で回転する場合は、磁力で吸着される構造に加え、ベースディスクにピンを、交換ディスクにホールを加工し勘合する構造を用いることで研磨作業時によりディスクがずれない構造とすることが出来る。
【符号の説明】
【０００８】１  水平面ディスク型研磨機２  ベースディスク  ２ａ  マグネットＮ（Ｓ）極３  交換ディスク  ３ａ  マグネットＳ（Ｎ）極  ３ｂ  粗目サンドペーパー４  交換ディスク  ４ａ  マグネットＳ（Ｎ）極  ４ｂ  中目サンドペーパー５  交換ディスク  ５ａ  マグネットＳ（Ｎ）極  ５ｂ  細目サンドペーパー６  鉛直面ディスク型研磨機７  ベースディスク  ７ａ  マグネットＮ（Ｓ）極  ７ｂ  ピン８  交換ディスク  ８ａ  マグネットＳ（Ｎ）極  ８ｂ  ホール８Ｃ  粗目サンドペーパー９  交換ディスク  ９ａ  マグネットＳ（Ｎ）極  ９ｂ  ホール９Ｃ  中目サンドペーパー１０  交換ディスク  １０ａ  マグネットＳ（Ｎ）極１０ｂ  ホール  １０Ｃ  細目サンドペーパー